(57)【要約】【課題】簡単な構成で狭いスペースの現金輸送ケース内に取り付けでき、低コストで製作できる防犯現金輸送ケースを提供することにある。【解決手段】札束５１を収納した現金輸送ケース５０と、該現金輸送ケース５０に取り付けられた着色塗料噴射装置Ａとを備え、着色塗料１３が密封され、内外に連通する吸入管１１が挿入された第１の容器１と、加圧媒体１６が密封され、口部が薄板のシール材１５で塞がれた第２の容器２と、前記第２の容器２の口部に隣接し、前記シール材１５により隔てられた空間部から前記吸入管１１の口部付近を通って噴出口８に連通する流路６と、噴出口８に接続された噴出用ノズル３０と、前記現金輸送ケース５０の強奪検知手段により駆動されて前記シール材１５に孔を開ける撃針機構４とを備える。【選択図】  図３
2006102411.tif 000002
【特許請求の範囲】
【請求項１】
札束を収納した現金輸送ケースと、該現金輸送ケースに取り付けられた着色塗料噴射装置とを備え、
該着色塗料噴射装置は、
着色塗料が密封され、内外に連通する吸入管が挿入された第１の容器と、
加圧媒体が密封され、口部が薄板のシール材が塞がれた第２の容器と、
前記第２の容器の口部に隣接し、前記シール材により隔てられた空間部から前記吸入管の口部付近を通って噴出口に連通する流路と、
噴出口に接続された噴出用ノズルと、
前記現金輸送ケースが強奪されたことを検知する強奪検知手段の作動により駆動されて前記シール材に孔を開ける撃針機構と、を備えたことを特徴とする防犯現金輸送ケース。
【請求項２】
前記撃針機構は、前記シール材の上方に位置する撃針を有し、前記流路が形成された本体ブロックに前記第２の容器の上方に位置して上下動および回転自在に設けられ、ばねにより前記シール材の方向に付勢された作動杆と、前記強奪検知手段の信号に基いて該作動杆を回転させるアクチェータとを有し、該作動杆の途中に形成されたフランジ部の下面に取り付けられた複数のボールが前記本体ブロックの上面に当接し、該本体ブロックに、前記作動杆の回転に伴って前記ボールが落ち込む凹部が形成され、前記ボールが凹部に落ち込んだとき前記作動杆が下降して前記撃針を前記シール材に突き刺すようにしたことを特徴とする請求項１記載の防犯現金輸送ケース。
【請求項３】
前記作動杆には操作レバーが取り付けられ、該操作レバーを手動で操作することにより、該作動杆を回動させるようにしたことを特徴とする請求項１記載の防犯現金輸送ケース。
【請求項４】
前記撃針機構は、前記シール材の上方に位置する撃針を有し、前記本体ブロックに前記第２の容器の上方に上下動自在に設けられ、コイルばねにより前記シール材から離れる方向に付勢された作動杆と、該作動杆の上端面に当接する板ばねと、前記強奪検知手段の信号に基いて回転して前記板ばねを押圧し、前記作動杆を前記コイルばねに抗して下動させるカムとを備えたことを特徴とする請求項１記載の防犯現金輸送ケース。
【請求項５】
前記カムは、リング付きの係止軸で回転を止められ、該リングを介して係止軸を引き抜くことにより、前記カムが回転するようにしたことを特徴とする請求項４記載の防犯現金輸送ケース。
【請求項６】
前記強奪検知手段を、運搬人が所持し、前記現金輸送ケースの強奪時に前記撃針機構を駆動する制御装置に信号を発信する発信機としたことを特徴とする請求項１ないし５のいずれかに記載の防犯現金輸送ケース。
【請求項７】
前記強奪検知手段を、前記撃針機構または前記制御装置のスイッチと運搬人とを機械的に連結する紐状物とし、盗難時に該紐状物が強制的に引っ張られることにより、前記撃針機構またはスイッチを操作して該撃針機構を作動させるようにしたことを特徴とする請求項１ないし５のいずれかに記載の防犯現金輸送ケース。
【請求項８】
前記第１の容器および第２の容器は、上端の首部が前記本体ブロックに着脱自在に取り付けられていることを特徴とする請求項１ないし７のいずれかに記載の防犯現金輸送ケース。
【発明の詳細な説明】
【技術分野】
【０００１】  本発明は、強奪等の被害に遭った際に着色塗料を噴出して札束を着色することにより、その札束を使用不能にするようにした防犯現金輸送ケースに関する。
【背景技術】
【０００２】  従来、札束からなる多額の現金を収納して輸送する防犯現金輸送ケースにおいて、輸送中に強奪等の被害にあったとき、汚濁液を噴出して紙幣を汚染させて使用不能にする技術は知られている（例えば、特許文献１参照）。【０００３】
【特許文献１】  特開平８−６６２２１号公報
【発明の開示】
【発明が解決しようとする課題】
【０００４】  しかしながら、上記のような従来の汚濁液噴出手段は、起爆装置、ガス発生装置、インク噴出装置等、複雑な機構を必要とし、大型でコストも高くなることが避けられないという問題があった。【０００５】  本発明は、上述のような従来の課題を解決するためになされたもので、その目的は、簡単な構成で狭いスペースの現金輸送ケース内に取り付けでき、低コストで製作できる防犯現金輸送ケースを提供することにある。
【課題を解決するための手段】
【０００６】  上記目的請求項１記載の発明は、防犯現金輸送ケースであって、札束を収納した現金輸送ケースと、該現金輸送ケースに取り付けられた着色塗料噴射装置とを備え、該着色塗料噴射装置は、着色塗料が密封され、内外に連通する吸入管が挿入された第１の容器と、加圧媒体が密封され、口部が薄板のシール材が塞がれた第２の容器と、前記第２の容器の口部に隣接し、前記シール材により隔てられた空間部から前記吸入管の口部付近を通って噴出口に連通する流路と、前記噴出口に接続された噴出用ノズルと、前記現金輸送ケースが強奪されたことを検知する強奪検知手段の作動により駆動されて前記シール材に孔を開ける撃針機構と、を備えたことを特徴とする。【０００７】  請求項２記載の発明は、前記撃針機構は、前記シール材の上方に位置する撃針を有し、前記流路が形成された本体ブロックに前記第２の容器の上方に位置して上下動および回転自在に設けられ、ばねにより前記シール材の方向に付勢された作動杆と、前記強奪検知手段の信号に基いて該作動杆を回転させるアクチェータとを有し、該作動杆の途中に形成されたフランジ部の下面に取り付けられた複数のボールが前記本体ブロックの上面に当接し、該本体ブロックに、前記作動杆の回転に伴って前記ボールが落ち込む凹部が形成され、前記ボールが凹部に落ち込んだとき前記作動杆が下降して前記撃針を前記シール材に突き刺すようにしたことを特徴とする。【０００８】  請求項３記載の発明は、前記作動杆には操作レバーが取り付けられ、該操作レバーを手動で操作することにより、該作動杆を回動させるようにしたことを特徴とする。【０００９】  請求項４記載の発明は、前記撃針機構は、前記シール材の上方に位置する撃針を有し、前記本体ブロックに前記第２の容器の上方に上下動自在に設けられ、コイルばねにより前記シール材から離れる方向に付勢された作動杆と、該作動杆の上端面に当接する板ばねと、前記強奪検知手段の信号に基いて回転して前記板ばねを押圧し、前記作動杆を前記コイルばねに抗して下動させるカムとを備えたことを特徴とする。【００１０】  請求項５記載の発明は、前記カムは、リング付きの係止軸で回転を止められ、該リングを介して係止軸を引き抜くことにより、前記カムが回転するようにしたことを特徴とする。【００１１】  請求項６記載の発明は、前記強奪検知手段を、運搬人が所持し、前記現金輸送ケースの強奪時に前記撃針機構を駆動する制御装置に信号を発信する発信機としたことを特徴とする。【００１２】  請求項７記載の発明は、前記強奪検知手段を、前記撃針機構または前記制御装置のスイッチと運搬人とを機械的に連結する紐状物とし、盗難時に該紐状物が強制的に引っ張られることにより、前記撃針機構またはスイッチを操作して該撃針機構を作動させるようにしたことを特徴とする。【００１３】  請求項８記載の発明は、前記第１の容器および第２の容器は、上端の首部が前記本体ブロックに着脱自在に取り付けられていることを特徴とする。
【発明の効果】
【００１４】  請求項１記載の発明によれば、事件に遭遇した際、加圧媒体が密封された第２の容器のシール材を撃針で破り、その加圧媒体の噴出による負圧を利用して、第１の容器の着色塗料をノズルから噴出させるようにしたので、盗難に遭った紙幣を使用不能にすることができるとともに、簡単な構成で小型化でき、現金輸送ケースの狭いいスペースに簡単に取り付けることができるとともに、シール材に孔を開けるだけの動作で加圧媒体を噴出させてスプレーの原理で着色塗料の噴出させるので、着色塗料噴射装置の機構が簡単で低コストで製作できる。【００１５】  請求項２記載の発明によれば、シール材の方向に付勢された作動杆を、感知強奪検知手段の信号に基いて回転させることにより、作動杆を支持するボールが凹部に落ち込んで作動杆が下降し、撃針をシール材に突き刺すようにした撃針機構を設けたので、作動杆の微量の動作で確実に撃針でシール材を突き刺すことができ、作動杆の駆動用アクチェータは小さい動力のものが使用できる。【００１６】  請求項３記載の発明によれば、強奪事件に遭った時操作レバーを手動で操作することにより、着色塗料を噴射させることができる。【００１７】  請求項４記載の発明によれば、コイルばねによりシール材から離れる方向に付勢された作動杆を、強奪検知手段の信号に基いて回転するカムにより下動させて撃針をシール材に突き刺すようにしたので、撃針はシール材を突き刺した瞬間シール材から離れ、これにより、シール材に開けられた孔を塞ぐことが防止される。【００１８】  請求項５記載の発明によれば、リングを手で引張ってて係止軸を引き抜くことにより、前記カムが回転して着色塗料を噴射させることができる。【００１９】  請求項６記載の発明によれば、強奪事件に遭った時、発信機からの無線通信により撃針機構を作動させて着色塗料を噴射させることができる。【００２０】  請求項７記載の発明によれば、事件に遭った時、紐状物が引っ張られることにより、自動的に撃針機構を作動させることができる。【００２１】  請求項８記載の発明によれば、使い終わった後、第１および第２の容器を簡単に新たに補充することができる。
【発明を実施するための最良の形態】
【００２２】  以下、本発明の一実施形態を、図面に基づいて説明する。
図１は、本発明の防犯現金輸送ケースの一実施形態を示す縦断側面図、図２は図１のＩＩ−ＩＩ線断面図である。【００２３】  同図に示すように、本実施形態の防犯現金輸送ケースは、札束が収納され、上部に取っ手を有する現金輸送ケース５０と、この現金輸送ケース５０の上部に取り付けられた着色塗料噴射装置Ａとを備えている。まず、着色塗料噴射装置Ａについて説明する。【００２４】  図３に示すように、着色塗料噴射装置Ａは、ケース１０内の中間に取り付けられている本体ブロック３と、本体ブロック３の下部に取り付けられた、第１の容器１および第２の容器２と、上部に取り付けられた撃針機構４とを備えたものである。【００２５】  本体ブロック３には、上下方向に向くガイド孔５と、このガイド孔５と交差する横向きの流路６が形成されている。流路６の途中には絞り部７が形成され、先端にはねじ切りされたポート８が形成され、このポート８に接続金具９がねじ込まれている。接続金具９には先端に噴射ノズル３０を有するパイプ３１が取り付けられている。【００２６】  第１の容器１は金属製のボトルタイプのもので、その上端の首部１ａが本体ブロック１の下部に、上記絞り部の下部に位置して取り付けられている。第１の容器１の口部には密栓１２が取り付けられ、密栓１２の中心には吸入管１１が取り付けられている。この吸入管１１の下端部が第１の容器１の底部近くに延び、上端部が密栓１２から突出して、絞り部７に開口した状態で取り付けられている。第１の容器１の内部には、着色塗料１３が密封されている。【００２７】  第２の容器２も第１の容器１と同様、金属製のボトルタイプのもので、その上端の首部２ａが本体ブロック１の下部に、上記ガイド孔５の下部に位置して取り付けられている。第２の容器２の口部を塞ぐように、例えば、ステンレス、アルミ等の金属薄板等からなるシール材１５が取り付けられている。第２の容器２の内部には、例えば、窒素ガス等の不燃性ガスからなる加圧媒体１６が密封されている。【００２８】  ケース１０の底板１０ａは、ヒンジ３２等により開閉可能に構成している。第１の容器１および第２の容器２は、本体ブロック３に着脱自在に取り付けられており、必要に応じて底板１０ａを空けて交換できるようにしている。【００２９】  第２の容器２の上方に、上記撃針機構４が設けられている。この撃針機構４は、本体ブロック３の上部に固着された２または４本の支柱１８（図２参照）の上端に固着されたガイド板１９と、このガイド板１９に摺動自在に挿入された作動杆２０と、作動杆２０の下部に取り付けられた撃針２１と備えている。【００３０】  作動杆２０の途中にフランジ部２０ａが形成され、このフランジ部２０ａの上面にスラスト軸受２２が設けられ、このスラスト軸受２２とガイド板１９との間にばね２３が装着されている。
フランジ部２０ａの下部には、下面にボール２５を有する軸受部材２４が３箇所に固定されている。図４に示すように、それぞれのボール２５は１つの仮想円２６上の配置されている。【００３１】  フランジ部２０ａの下方に位置して、本体ブロック３には、上記仮想円２６に位置する浅い球面の凹部２７が形成されており、この凹部２７にボール２５が落ち込むと作動杆２０が下降するようになっている。
作動杆２０の上端にはレバー２８が固着され、このレバー２８に、例えば、エアシリンダあるいはソレノイド等からなるアクチェータ２９が連結されている。このアクチェータは発信機３３からの信号を受信して駆動信号を出力する制御装置３４に接続されている。【００３２】  図１および図２は、上記着色塗料噴射装置Ａを、現金輸送ケースに取り付けた状態を示している。札束５１が収納される現金輸送ケース５０の上部に上記着色塗料噴射装置Ａが取り付けられている。現金輸送ケース５０内には、全ての札束に着色塗料が噴射できるように複数箇所、図示の例では上面部の裏面の４箇所にノズル３０が取り付けられ、これらのノズル３０が配管５２で接続されている。着色塗料噴射装置Ａのポート８には、フレキシブルのパイプ３１に取り付けられている接続金具９がねじ込まれ、パイプ３１は配管５２とジョイント５３を介して接続されている。【００３３】  発信機３３は、現金輸送ケース５０の運搬人がポケット等に入れて常時身に付けており、現金輸送ケース５０が発信機３３から一定距離離れたとき、発信機３３からの信号で制御装置３４が作動するようになっている。このよう手段としては、例えば、現金輸送ケース５０の運搬業務を行う際、制御装置３４および発信機３３をスイッチオンにしておき、発信機３３からの信号が制御装置３４の受信部に届かなくなったとき、制御装置３４によりアクチェータ２９が作動するように構成する。あるいは、発信機３３は使用せず、制御装置３４のスイッチ（図示せず）と運搬人とを紐等で連結しておき、現金輸送ケースが強奪されたとき、紐を介して制御装置３４がスイッチオンされるようにしてもよい。いずれにしても、現金輸送ケース５０が運搬人から強制的に離されたとき、制御装置３４が作動するようになっておればよく、その手段は限定されない。【００３４】  現金輸送ケース５０が強奪されると、制御装置３４によりアクチェータ２９のロッド２９ａがレバー２８を押すことにより、作動杆２０が軸周りに僅かに回動する。これにより、ボール２５が図４の矢印３８方向に移動し、凹部２７に落ち込むことにより、作動杆２０がこの凹部２７の深さ分だけ下降し、撃針２１がシール材１５を突き破って孔を開け、この孔を通って加圧媒体１６がガイド孔５から流路６に向けて噴出する。加圧媒体１６が高速で流路を流れることにより、吸入管１１の上端の絞り部７が負圧になり、吸入管１１から着色塗料１３が吸い上げられ、着色塗料１３は加圧媒体に載って流路６からフレキシブルチューブ３１を介してノズル３０に運ばれ、ノズル３０から札束５１に向けて噴射し、全ての紙幣を使用不能なように着色する。【００３５】  図５および図６は、本発明の防犯現金輸送ケースの第２実施形態を示すもので、撃針機構４を改良したものである。第２の容器２のシール材１５の上部には、中心に孔３９が形成された受け板３８を取り付け、作動杆２０と受け板３８との間にコイルばね４０を装着している。作動杆２０の上端に当接する板ばね４１を本体ブロック３にビス４２により固定している。板ばね４１よりコイルばね４０の方がばね力が強く、通常は作動杆２０および板ばね４１は実線の位置に上昇している。【００３６】  撃針機構４の駆動部��、軸４４に回転自在に支持されたカム４５と、このカム４５を停止位置に係止する係止軸４６と、カム４５を回転方向に付勢する引張りばね４７とを有している。カム４５は下端右隅にカム面４５ａを有するブロック体であり、引張りばね４７で時計回りに付勢されているが、着脱自在の係止軸４６によりケース１０に係止されて回転を止められている。【００３７】  係止軸４６の先端にはリング４８が取り付けられ、このリング４８に、例えば、エアシリンダあるいはソレノイド等からなるアクチェータ５０が連結されている。このアクチェータは発信機３３からの信号を受信して駆動信号を出力する制御装置３４に接続されている。【００３８】  制御装置３４により、アクチェータ５０のロッドがリング４８を介して係止軸４６を引き抜くことにより、引張りばね４７の力でカム４５が軸４４を中心に時計回りに回動し、鎖線の位置で係止ピン５１に当たって停止する。カム４５の回動途中で、カム面４５ａが板ばね４１を鎖線の位置に押し下げることにより、作動杆２０が下降し、撃針２１がシール材１５を突き破り、第２の容器２から加圧媒体１６がガイド孔５から流路６に向けて噴出し、第１実施形態と同様、着色塗料がノズル３０から噴出する。カム面４５ａが板ばね４１上を通過し終わると、コイルばね４０の力で作動杆２０は上昇し、実線の位置に復帰する。【００３９】  この第２実施形態では、撃針２１がシール材１５を突き破った後すぐに上昇するので、シール材１５に穿孔された孔を撃針２１で塞ぐことが防止でき、加圧媒体の噴出がより効果的に行われる。【００４０】  なお、撃針機構４は、強奪検知手段３３の感知信号により駆動されるモータあるいはソレノイドプランジャ等、周知の駆動手段により撃針２１を直接駆動する構造ものであってもよく、上記第１および第２実施形態のものは単なる例示である。【００４１】  また、第１実施形態ではレバー２８、第２実施形態では係止軸４６をそれぞれアクチェータで２９、５０で操作することにより、撃針機構４を駆動する構成を示しているが、人が手に現金輸送ケース５０を持っていて事件に遭った場合は、人体とレバー２８またはリング４８を紐等で連結しておき、現金輸送ケース５０が強奪されたとき、紐を介してレバー２８またはリング４８が作動するように構成することもできる。【００４２】  また、図１の構成では、着色塗料噴射装置Ａを現金輸送ケース５０の外側に取り付けているが、内側に取り付けることも可能である。
着色塗料は、紙幣についた後容易に落ちないものであれば、色、種別等は任意である。必要に応じて、磁気粉末等を混入しておくことにより、自販機の紙幣鑑別装置で確実に異常検出することができる。
【図面の簡単な説明】
【００４３】
【図１】着色塗料噴射装置を設けた防犯現金輸送ケースの縦断側面図である。
【図２】図１のＩＩ−ＩＩ線断面図である。
【図３】本発明の防犯現金輸送ケースに使用される着色塗料噴射装置の第１実施形態を示す縦断側面図である。
【図４】図３のＩＶ−ＩＶ線断面図である。
【図５】本発明の防犯現金輸送ケースに使用される着色塗料噴射装置の第２実施形態を示す縦断側面図である。
【図６】図５の右側面図である。
【符号の説明】
【００４４】１第１の容器
２第２の容器
６流路
８噴出口
１１吸入管
１３着色塗料
１５シール材
１６加圧媒体
２８レバー
３０ノズル
３３発信機
３４制御装置
３４ａ受信機
４５カム
４８リング
５０現金輸送ケース
５１札束
【図１】
2006102411.tif 000003
【図２】
2006102411.tif 000004
【図３】
2006102411.tif 000005
【図４】
2006102411.tif 000006
【図５】
2006102411.tif 000007
【図６】
2006102411.tif 000008